(57)【要約】      （修正有）【課題】管内に水圧を加えることによる散水装置及び散水方法の提供。【解決手段】外管２と、外管の内側に配置した内管３と、内管３の開口一端と接続されるように配置された散水管４と、外管２の底面の開口部に設けられた受水口７と、外管２の天井開口部に設けられた送水管８とを備えた散水装置１及び散水方法において、受水口７より送出される水の圧力により散水管４への送水が可能となる内管３の管内に設けられた開閉手段４０と、外管に供給された水の圧力により外管２内部を移動する事が可能な大径内管部１０と、小径内管部１１と、送水路３１とを備えたことと、送水管８の上部開口部に導水管と、導水管上部に接続された別の散水装置を備える事を特徴とした散水装置及び散水方法。【選択図】図１
2010042391.tif 000002
【特許請求の範囲】
【請求項１】
外管と、外管の一端側に設けられた受水口と、外管の他端側に設けられた送水口と、外管の他端に設けられたて外管の管の内径よりも小さい径の開口部と、外管の内側に外管の軸に沿った方向に移動可能なように設けられた内管と、外管の開口部を経由して外管の外部に突出した内管の他端の開口部に連結された散水管と、内管と外管とに連結されて内管を所定の位置に弾性的に支持する弾性手段とを備え、内管が、内管の一端面と他端面とに跨って延長するように設けられた水路と、内管の一端部に設けられて外管の内径に対応した外径寸法を有した大径内管部と、外管の開口部を経由して外管の外部に突出した小径内管部と、大径内管部の外周面と水路の内壁面とに跨って延長するように設けられた送水路と、小径内管部の送水路よりも他端側に設けられて水路を開閉する開閉手段とを備え、受水口を経由して外管内に供給された水が水路を経由して散水管の散水孔から散水されるとともに外管内に供給された水の圧力で内管が弾性手段に抗して外管の他端側に移動されて水が送水口に移動可能なように送水路と送水口とが連通した後に開閉手段が閉じるように構成されたことを特徴とする散水装置。
【請求項２】
請求項１に記載の散水装置を用いた散水方法であって、散水対象地に１番目からｎ番目までの複数の散水装置を設置し、水道蛇口と水圧を上げるポンプの吸込口とを導水管により連結し、１番目の散水装置の受水口とポンプの吐出口とを導水管により連結し、１番目の散水装置の送水口と２番目の散水装置の受水口とを導水管により連結し、以下同様に、ｎ番目までの散水装置まで隣り合う散水装置同士を導水管で連結した後に、水道蛇口を開栓するとともに給水ポンプを駆動することにより、１番目からｎ番目までの複数の散水装置に順番に散水させたことを特徴とする散水方法。
【発明の詳細な説明】
【技術分野】
【０００１】  本発明は、広範囲の敷地に対する散水作業に適した散水装置及び散水方法に関する。
【背景技術】
【０００２】  筒の内面と外面とに跨って形成された散水孔を備えた散水ホースを用いた散水方法及び散水装置が知られている（例えば、特許文献１参照）。
【特許文献１】特開２００３−２５０３６４号公報
【発明の開示】
【発明が解決しようとする課題】
【０００３】  しかしながら、上記散水装置では水道蛇口からの水を１本の散水ホースにしか供給できない。従って、例えば、大農場のような広範囲の敷地に散水する場合には、１本の散水ホースを移動して散水したり、予め複数本の散水ホースを適当に配置しておいて各散水ホースと水道蛇口とを繋いで散水しなければならないので、広範囲の敷地に散水する作業が大変であるという問題点があった。
本発明は、上記課題に鑑みてなされたもので、広範囲の敷地に対する散水作業を容易とできる散水装置及び散水方法を提供する。
【課題を解決するための手段及び効果】
【０００４】  本発明の散水装置は、外管と、外管の一端側に設けられた受水口と、外管の他端側に設けられた送水口と、外管の他端に設けられたて外管の管の内径よりも小さい径の開口部と、外管の内側に外管の軸に沿った方向に移動可能なように設けられた内管と、外管の開口部を経由して外管の外部に突出した内管の他端の開口部に連結された散水管と、内管と外管とに連結されて内管を所定の位置に弾性的に支持する弾性手段とを備え、内管が、内管の一端面と他端面とに跨って延長するように設けられた水路と、内管の一端部に設けられて外管の内径に対応した外径寸法を有した大径内管部と、外管の開口部を経由して外管の外部に突出した小径内管部と、大径内管部の外周面と水路の内壁面とに跨って延長するように設けられた送水路と、小径内管部の送水路よりも他端側に設けられて水路を開閉する開閉手段とを備え、受水口を経由して外管内に供給された水が水路を経由して散水管の散水孔から散水されるとともに外管内に供給された水の圧力で内管が弾性手段に抗して外管の他端側に移動されて水が送水口に移動可能なように送水路と送水口とが連通した後に開閉手段が閉じるように構成されたので、複数の散水装置を用い、例えば隣り合う散水装置同士の送水口と受水口とを繋ぎ、１番目の散水装置の受水口に水を供給することによって、複数の散水装置が順番に散水を行うので、広範囲の敷地に対する散水作業を容易とできる。
本発明による散水装置を用いた散水方法は、散水対象地に１番目からｎ番目までの複数の散水装置を設置し、水道蛇口と水圧を上げるポンプの吸込口とを導水管により連結し、１番目の散水装置の受水口とポンプの吐出口とを導水管により連結し、１番目の散水装置の送水口と２番目の散水装置の受水口とを導水管により連結し、以下同様に、ｎ番目までの散水装置まで隣り合う散水装置同士を導水管で連結した後に、水道蛇口を開栓するとともに給水ポンプを駆動することにより、１番目からｎ番目までの複数の散水装置に順番に散水させたので、広範囲の敷地に対する散水作業を容易とできる。
【発明を実施するための最良の形態】
【０００５】最良の形態１
図１乃至図２は最良の形態１を示し、図１は散水装置の断面を示し、図２は散水方法を実現するための構成を示す。【０００６】  図１を参照し、最良の形態１の散水装置を説明する。散水装置１は、外管２と、外管２の内側に外管２の軸に沿った方向に移動可能なように設けられた内管３と、散水管４を備える。散水管４は、筒の内面と外面とに跨って形成された散水孔４ａを複数備えたホースなどの導水管により形成される。【０００７】  外管２は、一端側が大径外管部５に形成されて他端側が小径外管部６に形成される。大径外管部５の一端側には受水口７を備える。大径外管部５の他端側における管の周面には管の内周面から管の外周面を経由して外部に延長する送水口８を備える。小径外管部６の他端は開口部９に形成される。【０００８】  内管３は、一端側が大径内管部１０に形成されて他端側が小径内管部１１に形成される。内管３は、大径内管部１０が大径外管部５の内側に大径外管部５と同軸に設けられ、小径内管部１１が小径外管部６の内側に小径外管部６と同軸に設けられることによって、外管２の内側に外管２の軸に沿った方向に移動可能なように設けられ、小径内管部１１の他端部１２が小径外管部６の他端の開口部９を経由して外管２の外側に突出する。大径内管部１０の一端面の中央には水導入口１３を備え、大径内管部１０の一端面の水導入口１３の周囲の面が水圧受面１４となる。内管３は、内管３の一端面と他端面とに跨って延長するように設けられて内管３の一端面の水導入口１３と内管３の他端部１２の開口部２８とを繋ぐ水路３０を備える。【０００９】  小径外管部６の開口部９を経由して外管２の外側に突出する小径内管部１１の他端部１２の外周面１５と小径外管部６の外周面１６とが弾性手段としてのコイルばね１７により互いに連結される。外周面１５と外周面１６とがコイルばね１７により互いに連結されたことにより、内管３が所定の位置に弾性的に支持される。コイルばね１７は、コイルばね１７の中空孔に外周面１５と外周面１６とが挿入された状態で外周面１５と外周面１６とに連結される。通常においては、コイルばね１７が、大径内管部１０の水圧受面１４と受水口７との間に流体圧力室２５を形成するように、また、大径内管部１０の他端面１８と大径外管部５の他端内面１９との間に大径内管部１０の走行空間２６を形成するように、また、後述する送水路３１と送水口８とが連通しない状態に、内管２の位置を維持する。【００１０】  小径内管部１１の他端部１２の開口部２８と散水管４の一端の開口部２０とが繋がれることによって、受水口７、流体圧力室２５、水路３０、散水管４内の水路３０Ａを経由する散水孔４ａまでの導水路が形成される。【００１１】  大径内管部１０の一端側には水路３０と送水口８とを繋ぐための送水路３１を備える。送水路３１は、大径内管部１０の一端側の外周面３２と水路３０の内壁面３３とに跨って貫通する貫通孔により形成される。送水口８及び送水路３１は、大径内管部１０の他端面１８と大径外管部５の他端内面１９とが接触した場合に送水口８の水路中心と送水路３１の水路中心とが一致するように形成される。【００１２】  水路３０の送水路３１よりも他端側の内壁面３３には、水路３０を開閉���る開閉手段４０を備える。開閉手段４０は、外周面が水路３０の内壁面３３に取り付けられたリング状の規制体４１と、規制体４１の他端面側に規制体４１のリング孔４３を開閉可能に設けられた開閉板４５と、水路３０の内壁面３３に取り付けられたばね取付部４６と、ばね取付部４６と開閉板４２の一端面とに繋がれて開閉板４５を規制体４１の他端面４２側に引っ張るばね４８とを備える。【００１３】  散水装置１の外管２と内管３とが、丁度、水圧シリンダのように構成される。つまり、外管２がピストンシリンダに相当し、内管３の大径内管部１０がピストンに相当し、内管３の小径内管部１１がピストンロッドに相当する。そして、大径内管部１０の外周面３２にはピストンリング３５が設けられる。ピストンリング３５が流体圧力室２５の水の送水口８側への漏れを防止する。また、大径外管部５の他端内面１９には、外部に開通する空気排出口３６が形成され、大径内管部１０が他端内面１９側に移動した場合に、走行空間２６の空気が空気排出口３６を経由して速やかに外部に排出される。【００１４】  図２に示すように、以上のように構成された散水装置１が、広範囲の散水対象地Ａに適当な間隔を隔てて複数設置される。水道蛇口５０と水圧を上げるポンプ５１の吸込口５２とがホースなどの導水管５３により連結され、１番目の散水装置１の外管２の受水口７とポンプ５１の吐出口５４とがホースなどの導水管５５により連結される。１番目の散水装置１の送水口８と２番目の散水装置１の受水口７とがホースなどの導水管５６により連結される。以下同様に、ｎ番目の散水装置１とｎ＋１番目の散水装置１の受水口７とがホースなどの導水管により連結される。【００１５】  次に作用を説明する。水道蛇口５９が開栓され給水ポンプ５１が駆動することにより、水が１個目の散水装置１の外管２内に供給される。水が内管３の水路３０に供給されてその水圧が所定値を超えるとばね４８のばね力に打ち勝って開閉板４２を開く。これにより、水が規制体４１のリング孔４３を経由して散水管４に送られて散水管４の散水孔を経由して外部に散水されるとともに、大径内管部１０の水圧受面１４が水圧を受けて、大径内管部１０が外管２の他端の方向に移動する。大径内管部１０が外管２の他端の方向に移動することによって、大径内管部１０の送水路３１と大径外管部５の送水口８とが連通し、大径内管部１０の他端面１８と大径外管部５の内側他端面１９とが接触する。これにより、水が送水口８を経由して２番目の散水装置１の外管２内に供給されるとともに、水路３０の開閉板４５に加わる水圧が弱くなり、ばね４８のばね力が水圧に打ち勝って開閉板４５がばね４８に引っ張られて規制板４１の他端面４２と接触してリング孔４３を閉じる。これにより、１番目の散水装置１による散水が終了する。同様の経過を経て、水が、２番目の散水装置１から３番目の散水装置１に供給され、３番目の散水装置１から４番目の散水装置１に供給されるというように、水が、順番に後段の散水装置１に送られる。この場合、後段の散水装置１での散水水圧の低下も少なくできる。つまり、前段の散水装置１の送水口８と後段の散水装置１の受水口７とを連結するホースなどの導水管の長さを短くするこ���によって、後段の散水装置１での散水水圧の低下を抑制できる。【００１６】  最終段の散水装置１による散水が終了したら、ポンプ５１の吐出口５４を開閉する図外の開閉バルブを手動にて閉じることにより、散水作業を終了できる。尚、図示しないが、散水自動停止装置を用いれば、散水自動停止を実現でできる。散水自動停止装置の構成としては、例えば、ポンプ５１の吐出口５４を開閉する開閉バルブの回転軸に連結された水車を封入した水車室を設け、この水車室と最終段の散水装置１の送水口８とを導水管で繋ぎ、最終段の散水装置１の送水口８から水車室に供給される水の水圧で開閉バルブを閉じる方向に水車を回転させることによって、最終段の散水装置１による散水が終了した後、所定時間経過後にポンプ５１の吐出口５４が閉じられる構成とすればよい。【００１７】  最良の形態１によれば、複数の散水装置１を用い、例えば隣り合う散水装置１同士の送水口８と受水口７とを繋ぎ、１番目の散水装置１の受水口７に水を供給することによって、複数の散水装置１が順番に散水を行うので、広範囲の敷地に対する散水作業を容易とできる。よって、例えば、大農場や砂漠のような広範囲の敷地に散水する場合に、１本の散水ホースを移動して散水したり、予め複数本の散水ホースを適当に配置しておいて各散水ホースと水道蛇口とを繋ぐというような繁雑な作業を不用とでき、広範囲の敷地に対する作業を容易とできる。【００１８】  尚、散水装置１による散水時間は、通常時における大径内管部１０の他端面１８と大径外管部５の他端内面１９との間の距離や、水圧受面１４の面積などの要因によって設定できる。【００１９】最良の形態２
図３に示すような開閉手段４０を備えた散水装置１でもよい。即ち、散水管４の管路を開閉可能なように散水管４の一端部に設けられた開閉板６０と、散水管４の管路の開閉のために開閉板６０を進退せる駆動源６１と、大径外管部５の内側他端面１９に設けられた接触検知センサ６２と、接触検知センサ６２と駆動源６１とを繋ぐ信号線６３と、開閉板６０及び駆動源６１を収納するとともに開閉板６０及び駆動源６１を散水管４の一端部の外周面に取り付けるためのケーシング６５と、駆動源６１や接触検知センサ６２の図外の電源とを備え、大径内管部１０の他端面１８が接触検知センサ６１に接触した場合に、散水管４の管路を塞ぐように開閉板６０を作動させる信号を接触検知センサ６２から駆動源６１に出力する構成とすればよい。
【産業上の利用可能性】
【００２０】  小径外管部６は設けなくともよい。この場合、大径外管部５の他端面に大径外管部５の内径よりも小さい径の開口部９を大径外管部５と同軸に設け、走行空間２６を形成する。
本発明は、大農場や砂漠のような広範囲の敷地に散水する場合の散水作業を容易にでき、広範囲の敷地に対する効率的な散水作業の実現に貢献する。
【図面の簡単な説明】
【００２１】
【図１】散水装置の断面図（最良の形態１）。
【図２】散水方法を実現するための構成図（最良の形態１）。
【図１】散水装置の断面図（最良の形態２）。
【符号説明】
【００２２】  １  散水装置、２  外管、３  内管と、４  散水管、４ａ  散水孔、７  受水口、８  送水口、９；２８  開口部、１０  大径内管部、１１  小径内管部、１７  ばね（弾性手段）、３０  水路、３１  送水路、３２  外周面、３３  内壁面、４０  開閉手段、５０  水道蛇口、５１  ポンプ、５２  吸込口、５３；５５；５６  導水管、５４  吐出口。
【図１】
2010042391.tif 000003
【図２】
2010042391.tif 000004
【図３】
2010042391.tif 000005
【手続補正書】
【提出日】平成20年11月12日(2008.11.12)
【手続補正１】
【補正対象書類名】明細書
【補正対象項目名】００２１
【補正方法】変更
【補正の内容】
【００２１】
【図１】  散水装置の断面図（最良の形態１）。
【図２】  散水方法を実現するための構成図（最良の形態１）。
【図３】  散水装置の断面図（最良の形態２）。